(57)【特許請求の範囲】
【請求項１】
使用者が予め設定する浴水の設定温度を定め、循環ポンプで吸い込んだ浴槽の浴水をふろ戻り経路に設けられたふろ戻り温度センサで測定して加熱手段で加熱し、加熱された浴水をふろ往き経路に設けられたふろ往き温度センサで確認して前記浴槽内に吐出する強制循環式ふろ釜装置において、
前記加熱手段が浴水を加熱する際の前記設定温度より高い目標温度を前記ふろ戻り温度センサで測定する浴水温度と前記設定温度との温度差に基づいて調節する目標温度調節手段と、
前記目標温度に基づいて前記加熱手段の運転制御を行う加熱制御手段とを有し、前記目標温度調節手段には、更に前記目標温度を前記使用者に設定させる手動目標温度設定機能が設けられ、前記ふろ往き温度センサで測定された浴水の温度が該目標温度となるように前記加熱手段の運転制御が行われることを特徴とする強制循環式ふろ釜装置。
【請求項２】
請求項１記載の強制循環式ふろ釜装置において、前記加熱制御手段には、前記ふろ戻り温度センサで測定された浴水温度が前記設定温度を超えた場合に、前記温度差に応じて加熱能力を調節する機能が設けられていることを特徴とする強制循環式ふろ釜装置。
【発明の詳細な説明】
【０００１】
【発明の属する技術分野】
本発明は、浴槽の循環吐出し口から吐出する浴水の温度を調節することが可能な強制循環式ふろ釜装置に関する。
【０００２】
【従来の技術】
強制循環式ふろ釜装置が設けられたふろ設備では、ふろの沸き上げ、ふろの追い焚きいずれの場合でも、浴槽に設けられた循環吸込み口から循環ポンプで吸い込まれた浴水が加熱手段で加熱され、高温になった（例えば、浴槽から吸い込まれた浴水の温度に対して２０〜３０℃の温度が上昇した）浴水が浴槽に設けられた循環吐出し口から吐き出され、この高温の浴水が浴槽内に拡散することで浴槽内の浴水の温度が上昇していく。このとき、浴槽内の浴水の温度を素早く上昇させるために、加熱手段では予め設定された加熱能力で浴水を加熱することが行われている。その結果、浴槽内の浴水の温度が上昇してくると、循環吐出し口から吐出する浴水の温度も上昇していた。
【０００３】
【発明が解決しようとする課題】
しかしながら、ふろの使用者が浴槽内に入った状態で追い焚き運転を行うと、循環吐出し口からは熱い湯が吐出してくるため、非常な不快感を感じていた。特に、循環する浴水量が少ない場合は吐き出される浴水の温度は更に高くなるため、不快感はより顕著となっていた。このため、循環吐出し口から熱い浴水が吐き出されないように、加熱手段の加熱能力を抑えることが考えられる。しかし、加熱能力を抑えると、ふろの沸き上げ、ふろの追い焚きに非常に長い時間を要することになり、ふろの沸き上げや追い焚きの能率が悪くなって好ましくない。
本発明はかかる事情に鑑みてなされたもので、浴槽の循環吐出し口から吐出させる加熱後の浴水の温度を浴槽内の浴水温度に応じて調節することが可能な強制循環式ふろ釜装置を提供することを目的とする。
【０００４】
【課題を解決するための手段】
前記目的に沿う本発明に係る強制循環式ふろ釜装置は、使用者が予め設定する浴水の設定温度を定め、循環ポンプで吸い込んだ浴槽の浴水をふろ戻り経路に設けられたふろ戻り温度センサで測定して加熱手段で加熱し、加熱された浴水をふろ往き経路に設けられたふろ往き温度センサで確認して前記浴槽内に吐出する強制循環式ふろ釜装置において、
前記加熱手段が浴水を加熱する際の前記設定温度より高い目標温度を前記ふろ戻り温度センサで測定する浴水温度と前記設定温度との温度差に基づいて調節する目標温度調節手段と、
前記目標温度に基づいて前記加熱手段の運転制御を行う加熱制御手段とを有し、
前記目標温度調節手段には、更に前記目標温度を前記使用者に設定させる手動目標温度設定機能が設けられ、前記ふろ往き温度センサで測定された浴水の温度が該目標温度となるように前記加熱手段の運転制御が行われる。
【０００５】
これによって、浴水温度と設定温度の差が大きい場合は、浴槽内に使用者が入っている可能性が低いため、加熱手段の加熱能力を高く調節して、浴槽内に高温に加熱された浴水を吐出することができる。また、浴水温度と設定温度の差が小さい場合は、浴槽内に使用者が入っている可能性が高いため、加熱手段の加熱能力を低く調節して、加熱されて浴槽内に吐出する浴水の温度と浴槽内の浴水温度との差を小さくすることができる。
また、目標温度を高くして沸き上げ時間、又は追い焚き時間の短縮を優先すること、循環吐出し口から吐出する加熱後の浴水温度を抑えて快適性を追求することのいずれかを任意に選択することが可能となる。
【０００６】
本発明に係る強制循環式ふろ釜装置において、前記目標温度調節手段には、手動で前記目標温度が設定された際には、自動目標温度設定による動作が停止し、前記設定温度を基準として前記目標温度を前記温度差に基づいて設定する自動目標温度設定機能が設けられていることが好ましい。
目標温度が設定温度を基準として設定されるので、設定温度が低い場合は低めに加熱された浴水を循環吐出し口から吐出させることができ、設定温度が高い場合は高めに加熱された浴水を循環吐出し口から吐出させることができる。
【０００７】
【０００８】
本発明に係る強制循環式ふろ釜装置において、前記加熱制御手段には、前記ふろ戻り温度センサで測定された浴水温度が前記設定温度を超えた場合に、前記温度差に応じて加熱能力を調節する機能が設けられていることが好ましい。
これによって、例えば、使用者が熱めのふろに入りたいときに、設定温度を無視して浴槽内の浴水温度を上昇させることができる。その際に、加熱手段の加熱能力を調節することができるので、高温の浴水が浴槽内に吐出されるのを防止して急激に浴水温度が上昇するのを抑えることができる。
【０００９】
【発明の実施の形態】
続いて、添付した図面を参照しつつ、本発明を具体化した実施の形態につき説明し、本発明の理解に供する。
ここに、図１は本発明の一実施の形態に係る強制循環式ふろ釜装置を備えたふろ設備の全体構成ブロック図、図２は同強制循環式ふろ釜装置により浴水を加熱する際の運転状況を説明するフロー図、図３は同強制循環式ふろ釜装置の加熱制御手段における制御内容を説明するフロー図である。
図１に示すように、ふろ設備１０は、浴槽１１と、浴槽１１の浴水１２を加熱する本発明の一実施の形態に係る強制循環式ふろ釜装置１３を有している。そして、強制循環式ふろ釜装置１３は、浴槽１１の浴水１２を加熱する加熱手段１４と、使用者が予め設定する設定温度の指令を行う浴室操作部１５と、浴室操作部１５からの指令を受けて加熱手段１４の運転を制御する制御機構１６を有している。更に、浴室操作部１５には、加熱手段１４が浴水１２を加熱する際の目標温度を使用者が手動設定することができる手動目標温度入力機能が設けられている。以下、これらについて詳細に説明する。
【００１０】
加熱手段１４は、図１に示すように、浴槽１１の側壁に形成された浴水１２の吸込み口１７及び吐出し口１８を接続する循環経路１９と、循環経路１９に接続され浴水１２を加熱する熱交換器２０を有している。ここで、吸込み口１７と吐出し口１８は、例えば、浴槽１１の同一側壁にそれぞれ形成され、吸込み口１７は吐出し口１８よりも浴槽１１の底側に設けられている。吸込み口１７と熱交換器２０の熱交換部２８の入口側とを接続するふろ戻り経路２１には循環ポンプ２２が配設され、循環ポンプ２２の上流側のふろ戻り経路２１には吸込み口１７から循環ポンプ２２により吸引された浴水１２の温度を測定するふろ戻り温度センサの一例であるふろ戻りサーミスタ２３と、熱交換器２０の熱交換部２８の入口側に向かう浴水１２の流水を検知する水流スイッチ２４が配設されている。ここで、循環ポンプ２２としては、ボリュート式やカスケード式等のポンプが用いられる。また、水流スイッチ２４としては、パドル式、電磁式、超音波式、カルマン流式、サーミスタ式、水車式、羽根車式、差圧式の検知器を使用することができる。また、熱交換器２０の熱交換部２８の出口側と吐出し口１８を接続するふろ往き経路２５には、熱交換器２０で加熱された浴水１２の温度を測定するふろ往き温度センサの一例であるふろ往きサーミスタ２６が設けられている。なお、ふろ戻り及びふろ往きの各温度センサとしてはサーミスタ以外に熱電対や測温抵抗体等が使用できる。
【００１１】
熱交換器２０は、加熱源の一例であるガス燃焼機構２７と、ガス燃焼機構２７で発生した熱で浴水１２を加熱する熱交換部２８を有している。そして、ガス燃焼機構２７にはガス点火部２９を備えたガスバーナ３０と、ガスバーナ３０に燃料ガスを供給する燃料供給管３１が設けられている。更に、燃料供給管３１には、燃料ガスの供給及び停止を行う開閉弁の一例である電磁弁３２と、電磁弁３２から供給された燃料ガスの流量調整を行うガス流量調整機構の一例である電磁比例弁３３が配設されている。
このような構成とすることにより、浴槽１１に貯留されている浴水１２を循環ポンプ２２を運転して吸込み口１７からふろ戻り経路２１を介して熱交換器２０に導入し、ふろ戻りサーミスタ２３の測定結果に基づいて熱交換部２８で加熱することができる。また、加熱された浴水１２をふろ往き経路２５内を流水させて、ふろ往きサーミスタ２６で温度の確認をしてから吐出し口１８より浴槽１１内に吐出させることができる。
【００１２】
浴室操作部１５には、浴水１２を加熱する際の設定温度を入力させる設定温度入力機能、加熱手段１４が浴水１２を加熱する際の目標温度を手動で入力させる手動目標温度入力機能、入力された設定温度と目標温度を制御機構１６に伝達すると共に制御機構１６との連携動作を行うための通信信号のやり取りを行う通信機能が設けられている。このような機能を有する浴室操作部１５は、例えばマイクロコンピュータを用いて構成することができる。
制御機構１６には、ふろ戻りサーミスタ２３で測定した浴水１２の温度（以下、浴水温度、又はふろ温度という）と浴室操作部１５から伝達された設定温度との温度差に基づいて加熱手段１４が浴水１２を加熱する際の目標温度を調節する目標温度調節手段３４と、目標温度調節手段３４から伝達された目標温度に基づいて加熱手段１４の運転制御を行う加熱制御手段３５が設けられている。ここで、制御機構１６は、例えばマイクロコンピュータから構成され、ふろ戻りサーミスタ２３、ふろ往きサーミスタ２６、水流スイッチ２４の各検知信号が入力されている。制御機構１６内には予め設定された各種運転内容に応じて、循環ポンプ２２、ガス点火部２９、電磁弁３２、電磁比例弁３３の運転及び動作を制御するプログラムが格納されている。このため、浴室操作部１５から設定温度、あるいは、設定温度及び目標温度の運転指令信号が制御機構１６に入力されると、運転指令信号とふろ戻りサーミスタ２３、ふろ往きサーミスタ２６及び水流スイッチ２４の検知信号に基づいて、循環ポンプ２２、ガス点火部２９、電磁弁３２、電磁比例弁３３の運転及び動作が行われて加熱手段１４の運転が開始される。
【００１３】
目標温度調節手段３４には、加熱手段１４が浴水１２を加熱する際の目標温度を、ふろ戻りサーミスタ２３で測定する浴水温度と設定温度との温度差に基づいて調節する自動目標温度設定機能が設けられている。自動目標温度設定機能では、温度差が大きい場合（例えば、水道水の水温から沸き上げる場合）、加熱手段１４で浴水１２を加熱する際の目標温度を設定温度に対して大きな温度上昇となるように設定する。一方、温度差が小さい場合、加熱手段１４で浴水１２を加熱する際の目標温度を設定温度に対して小さな温度上昇となるように設定する。また、一度沸き上がった浴水１２を沸き上げ後所定時間保温するために行う保温運転では、目標温度を設定温度に対して更に小さな温度上昇となるように設定する。沸き上げの場合、温度差が例えば、４℃を超えているときは目標温度を、例えば上限の７０℃に固定し、温度差が４℃以下のときは設定温度に対する補正値（温度上昇値）を１０〜１５℃として、目標温度を設定温度より補正値だけ高い温度に設定する。更に、保温運転の場合では、補正値を５〜１０℃として、目標温度を設定温度より補正値だけ高い温度に設定する。また、使用者が入浴してから行う追い焚き運転では、補正値を１０〜１５℃として、目標温度を設定温度より補正値だけ高い温度に設定する。沸き上げ運転と保温運転はセットで行われ、追い焚き運転は単独で行われる。通常、ふろ往きサーミスター２６で測定された浴水１２の温度（以下、ふろ往き温度という）が目標温度となるように加熱調節機能が作動して加熱手段１４の運転制御が行われる。ふろ往き温度が目標温度未満の場合、浴水１２の加熱が十分に行われていないので、電磁比例弁３３の開度を増加させるため、加熱調節機能が作動して比例弁出力増加の指示を出す。一方、加熱手段１４による浴水１２の加熱が進行し、ふろ往き温度が目標温度に近づくと目標温度との偏差に基づき、電磁比例弁３３の開度を減少させるため、加熱調節機能が作動して比例弁出力減少の指示を出す。
【００１４】
目標温度調節手段３４には、更に、手動目標温度設定機能が設けられている。浴室操作部１５の手動目標温度入力機能により手動で設定された目標温度は、浴室操作部１５から制御機構１６の目標温度調節手段３４に入力される。そして、目標温度調節手段３４では、手動入力された目標温度に基づいて加熱手段１４の運転制御を行う。なお、手動目標温度入力機能には、設定できる目標温度に上限値（例えば、７０℃）が設けられている。
また、加熱制御手段３５には、ふろ戻りサーミスター２３、ふろ往きサーミスター２６の検出信号に応じて作動し加熱能力を調整する加熱調節機能が設けられている。
【００１５】
次に、本発明の一実施の形態に係る強制循環式ふろ釜装置の運転方法について、図１、図２、図３を用いて詳細に説明する。
制御機構１６が浴室操作部１５から浴水１２を加熱する際の設定温度の指示と沸き上げ運転開始、又は設定温度の指示と追い焚き運転開始の信号を受信すると、循環ポンプ２２が駆動して循環経路１９内に浴水１２を循環させる。循環経路１９内を浴水１２が流水していることを水流スイッチ２４が検知すると、加熱制御手段３５によりガス燃焼機構２７の運転制御が可能になる。その結果、電磁弁３２が開となって燃料ガスがガスバーナ３０に供給され、ガス点火部２９が動作して着火が生じガスバーナ３０の運転が開始する（Ｓ１）。
【００１６】
ガスバーナ３０の運転を開始すると、保温運転判定、すなわち、沸き上げ運転であるか、保温運転であるかの判定が行われる（Ｓ２）。保温運転の場合、目標温度を設定温度より５〜１０℃高い温度に設定して、ふろ往き温度が目標温度となるように加熱制御手段３５で制御して小能力でガスバーナ３０の燃焼を行う（Ｓ３）。次いで、ふろ温度と設定温度の比較を行って（Ｓ４）、ふろ温度が設定温度以上の場合は保温運転が終了したとしてガスバーナの運転を終了する（Ｓ５）。ふろ温度が設定温度以上の場合は保温運転が終了したと判断してガスバーナの運転を終了するが（Ｓ５）、ふろ温度が設定温度未満の場合は、ふろ温度が設定温度以上になるまでガスバーナ３０の燃焼を継続する（Ｓ２→Ｓ３→Ｓ４の繰返し）。保温運転の場合は、初回の沸き上げ運転終了から所定の時間にわたって温度低下を監視し、所定時間経過後に保温運転を終了する。
【００１７】
保温運転でない場合、すなわち、沸き上げ運転の場合では、ふろ温度と設定温度との比較を行って温度差が４℃を超えているときは（Ｓ６）、目標温度を上限の７０℃に固定して大能力でガスバーナ３０の燃焼を行い（Ｓ７）、次いでふろ温度と設定温度の比較を行う（Ｓ４）。また、ふろ温度と設定温度との比較を行って温度差が４℃以下のときは（Ｓ６）、補正値を１０〜１５℃として目標温度がこの補正値だけ高い温度となるように加熱制御手段３５で制御して中能力でガスバーナ３０の燃焼を行い（Ｓ８）、次いでふろ温度と設定温度の比較を行う（Ｓ４）。いずれの場合においても、ふろ温度が設定温度以上となったときは沸き上げが終了したと判断してガスバーナ３０の運転を終了するが（Ｓ５）、ふろ温度が設定温度未満の場合は、ふろ温度が設定温度以上になるまでガスバーナ３０の燃焼を継続する（Ｓ２→Ｓ６→Ｓ７→Ｓ４又はＳ２→Ｓ６→Ｓ８→Ｓ４の繰返し）。
【００１８】
ここで、浴室操作部１５において手動操作によって目標温度が設定された場合、この目標温度が目標温度調節手段３４に伝えられると、自動目標温度設定機能の動作が停止して、加熱制御手段３５による制御は全て手動で設定された目標温度を基準に行われる。従って、保温運転の場合は、ふろ往き温度はこの目標温度となるようにガスバーナ３０で燃焼を行って（Ｓ３）、ふろ温度と設定温度の比較が行われる（Ｓ４）。そして、ふろ温度が設定温度以上の場合は保温運転が終了したと判断してガスバーナの運転を終了するが（Ｓ５）、ふろ温度が設定温度未満の場合は、ふろ温度が設定温度以上になるまでガスバーナ３０の燃焼を継続する（Ｓ２→Ｓ３→Ｓ４の繰返し）。保温運転の場合は、初回の沸き上げ運転終了から所定の時間にわたって温度低下を監視し、所定時間経過後に保温運転を終了する。一方、保温運転でない場合（沸き上げ運転の場合）では、ふろ温度と設定温度との温度差が４℃を超えている（Ｓ６）場合、あるいは、温度差が４℃以下である場合（Ｓ６）のいずれにおいても、ふろ往き温度はこの目標温度となるようにガスバーナ３０で燃焼を行う（Ｓ７、Ｓ８）。そして、ふろ温度が設定温度以上となったときは沸き上げが終了したと判断してガスバーナの運転を終了するが（Ｓ５）、ふろ温度が設定温度未満の場合は、ふろ温度が設定温度以上になるまでガスバーナ３０の燃焼を継続する（Ｓ２→Ｓ６→Ｓ７→Ｓ４又はＳ２→Ｓ６→Ｓ８→Ｓ４の繰返し）。
【００１９】
また、本実施の形態に係る強制循環式ふろ釜装置１３の加熱制御手段３５に、ふろ温度が設定温度を超えたときにその温度差に応じて加熱能力を調節する機能が設けられている場合の強制循環式ふろ釜装置１３の運転方法について図３を用いて詳細に説明する。
ふろが沸き上がっている（設定温度への沸き上げが終了している）が、使用者が熱めのふろに入りたい場合、使用者は浴室操作部１５のあつめ（あるいは追い焚き）運転スイッチを入れることにより、設定温度よりも高い温度への沸き上げが可能となる。使用者が、例えば浴室操作部１５のあつめ運転（又は追い焚き運転）スイッチをいれると（Ｓ９）、循環ポンプ２２が起動し（Ｓ１０）、水流スイッチ２４が水流を検知すると（Ｓ１１）、ふろ戻りサーミスタ２３で測定したふろ戻り温度と、設定温度との比較が行われる（Ｓ１２）。ふろ戻り温度が設定温度より低い場合（ＮＯ）には図２のＡに進み、ふろ戻り温度が設定温度以上の場合（ＹＥＳ）には、次にふろ戻り温度が「設定温度＋所定温度（実施の形態の説明では２℃）」で規定される温度以上であるか比較し（Ｓ１３）、ふろ戻り温度が「設定温度＋所定温度」で規定される温度未満の場合（ＮＯ）、電磁弁３２が開となって燃料ガスがガスバーナ３０に供給されガス点火部２９が動作する（Ｓ１４）。このとき、電磁比例弁３３の開度は点火開度である。次いで、電磁比例弁３３の開度を最小開度とし、最低能力燃焼で燃焼する（Ｓ１５）。あつめ（あるいは追い焚き）スイッチが切りになるか（Ｓ１６）、あるいはふろ戻り温度が「設定温度＋所定温度」で規定される温度以上になるまでＳ１３→Ｓ１４→Ｓ１５→Ｓ１６を繰り返す。Ｓ１３でふろ戻り温度が「設定温度＋所定温度」で規定される温度以上になると（ＹＥＳ）、燃焼及び循環ポンプ２２を停止し（Ｓ１７）、あつめ（あるいは追い焚き）の運転モードを終了する（Ｓ１８）。
【００２０】
以上、本発明の実施の形態を説明したが、本発明は、この実施の形態に限定されるものではない。例えば、ふろ戻り温度と設定温度の温度差が４℃以下であるかどうかで目標温度の設定を変更したが、温度差を１〜１０℃の範囲で任意に、しかも複数設定することができる。更に、複数の温度差で区分される範囲毎に補正値をそれぞれ決めるようにすることもできる。
また、手動で目標温度を設定する場合も、沸き上げ運転及び保温運転は共通の目標温度としたが、個別に設定することもできる。更に、複数の温度領域を設け、各々個別の目標温度を設けることもできる。
【００２１】
【発明の効果】
請求項１及び２記載の強制循環式ふろ釜装置においては、加熱手段が浴水を加熱する際の設定温度より高い目標温度を、ふろ戻り温度センサで測定する浴水温度と設定温度との温度差に基づいて調節する目標温度調節手段と、目標温度に基づいて加熱手段の運転制御を行う加熱制御手段とを有するので、浴水温度と設定温度の差が大きい場合は、浴槽内に使用者が入っている可能性が低いため、加熱手段の加熱能力を高く調節して浴槽内に高温に加熱された浴水を吐出することができ、短時間でふろの沸き上げを行うことが可能となる。また、浴水温度と設定温度の差が小さい場合は、浴槽内に使用者が入っている可能性が高いため、加熱手段の加熱能力を低く調節し加熱されて浴槽内に吐出する浴水の温度と浴槽内の浴水温度との差を小さくすることができ、使用者に不快感を与えないで沸き上げ、追い焚きを行うことが可能となる。
また、目標温度調節手段には、目標温度を使用者に設定させる手動目標温度設定機能が設けられているので、目標温度を高くして沸き上げ時間又は追い焚き時間の短縮化を図るか、あるいは循環吐出し口から吐出する加熱後の浴水の温度を抑えて快適性を追求するかを任意に選択することができ、さまざまな使用者の要望に対応することが可能となる。
【００２２】
ここで、目標温度調節手段に、設定温度を基準として自動的に目標温度を所定の温度に設定する機能を設けると、設定温度が低い場合は目標温度を低く設定することで吐出する浴水温度との温度差を小さくすることができ、浴槽内の使用者の体感温度差を低減することが可能となる。その結果、より快適に浴槽内で過ごすことが可能となる。
【００２３】
【００２４】
請求項２記載の強制循環式ふろ釜装置においては、加熱制御手段には、ふろ戻り温度センサで測定された浴水温度が設定温度を超えた場合に、温度差に応じて加熱能力を調節する機能が設けられているので、設定温度と無関係に浴槽内の浴水温度を上昇させても、より安全にふろの沸き上げ、ふろの追い焚きを行うことが可能となる。その結果、使用者は、より安全に熱めのふろに入浴することが可能となる。
【図面の簡単な説明】
【図１】本発明の一実施の形態に係る強制循環式ふろ釜装置を備えたふろ設備の全体構成ブロック図である。
【図２】同強制循環式ふろ釜装置により浴水を加熱する際の運転状況を説明するフロー図である。
【図３】同強制循環式ふろ釜装置の加熱制御手段における制御内容を説明するフロー図である。
【符号の説明】
１０：ふろ設備、１１：浴槽、１２：浴水、１３：強制循環式ふろ釜装置、１４：加熱手段、１５：浴室操作部、１６：制御機構、１７：吸込み口、１８：吐出し口、１９：循環経路、２０：熱交換器、２１：ふろ戻り経路、２２：循環ポンプ、２３：ふろ戻りサーミスタ、２４：水流スイッチ、２５：ふろ往き経路、２６：ふろ往きサーミスタ、２７：ガス燃焼機構、２８：熱交換部、２９：ガス点火部、３０：ガスバーナ、３１：燃料供給管、３２：電磁弁、３３：電磁比例弁、３４：目標温度調節手段、３５：加熱制御手段
【図１】
0003848874.tif 000002
【図２】
0003848874.tif 000003
【図３】
0003848874.tif 000004